(57)【特許請求の範囲】
【請求項１】
車室内側に張り出すように形成されたアームレストの上面に開口するプルハンドルを備えたドアトリムであって、
前記アームレストは、基台となるアームレスト本体と、前記プルハンドルの開口を囲むようにして前記アームレスト本体の上部を被覆するアームレストカバーと、係合爪部を有し前記アームレストカバーから片持ち状に突出する弾性係合片と、
前記アームレスト本体に設けられ、前記弾性係合片を弾性変形させて挿通させ前記係合爪部をその孔縁に係り受ける被係合部を備えたカバー取付孔と、を備え、
前記弾性係合片は、前記アームレストカバーの裏面から突設され平板状をなす平板部と、前記平板部の先端から前記アームレストカバーの周縁に向かって突出する鈎状の係合爪部と、前記平板部の幅方向両端部を前記係合爪部が突設された面とは反対側の面から支持する一対のリブと、から構成され、
前記カバー取付孔の孔縁又は前記弾性係合片には、前記弾性係合片のカバー取付孔への挿通を許容する一方、その挿通方向以外の方向から前記弾性係合片が前記カバー取付孔から抜け出るのを規制する規制突部が、前記弾性係合片に対して前記一対のリブに挟まれる位置に突設されていることを特徴とするドアトリム。
【請求項２】
前記規制突部は、前記弾性係合片を挟んで前記被係合部に対向するカバー取付孔の孔縁から、前記弾性係合片に向かって突設されていることを特徴とする請求項１に記載のドアトリム。
【請求項３】
前記規制突部の突出端から対向する被係合部までの距離は、撓み方向における前記弾性係合片の前記係合爪部の厚さと略一致することを特徴とする請求項２に記載のドアトリム。
【請求項４】
前記規制突部は、少なくとも前記プルハンドルの開口縁部側に位置する前記カバー取付孔の孔縁又は前記弾性係合片に設けられていることを特徴とする請求項１ないし請求項３のいずれか一項に記載のドアトリム。
【発明の詳細な説明】
【技術分野】
【０００１】
本発明は、アームレストを備えるドアトリムに関する。
【背景技術】
【０００２】
従来、例えば自動車等の車両ドアに取り付けられるドアトリムにおいて、乗員の肘掛けとなるアームレストが設けられたものとして特許文献１に記載のものが知られている。このアームレストは、ドアトリムのうち、車室内側壁を構成するトリム本体から車室内方に向かって張り出し形成されており、肘掛け面を構成する平板状のアームレストカバーと、トリム本体から車室内方に向かって延び、アームレストカバーが取り付けられる上面部と、上面部を支持すると共に下方に延びてトリム本体へと連なる支持面部とを備えている。
【０００３】
上面部には、開口部が形成されており、この開口縁部にアームレストカバーの肘掛け面を構成する意匠面とは反対側に突設された係合爪が係合される等して、アームレストカバーが上面部に取り付けられている。
【先行技術文献】
【特許文献】
【０００４】
【特許文献１】特開２００５−５３２９１号公報
【発明の概要】
【発明が解決しようとする課題】
【０００５】
ところで、このような構成のアームレストに、乗員が手を掛けて車両ドアを開閉するためのプルハンドル部を設けた場合、アームレストカバーが上面部から容易に外れてしまう虞がある。即ち、図１１に示すように、アームレスト１とドアトリム本体２との間にポケット状のプルハンドル部３を設け、このプルハンドル部３に乗員が手を掛けて車両ドアを開閉する場合には、乗員は指先を入れたプルハンドル部３からアームレストカバー４にかけて把持することとなる。この乗員の把持による外力が、例えばアームレストカバー４を上面部５から車室内側に向かう方向（図１２に示す矢印方向）に作用した場合には、開口部６に係合された係合爪７が撓み変形することで、上面部５に対するアームレストカバー４の係合が容易に解除されてしまう。このような事態を防止するために、乗員の把持等による外力に抗してアームレストカバーを係合状態に保持する保持力を向上させることが求められている。
【０００６】
本発明は上記のような事情に基づいて完成されたものであって、被係合部に対して係合した状態に保持する保持力を高めたアームレストカバーを備えるドアトリムを提供することを目的とする。
【課題を解決するための手段】
【０００７】
本発明は、車室内側に張り出すように形成されたアームレストの上面に開口するプルハンドルを備えたドアトリムであって、前記アームレストは、基台となるアームレスト本体と、前記プルハンドルの開口を囲むようにして前記アームレスト本体の上部を被覆するアームレストカバーと、係合爪部を有し前記アームレストカバーから片持ち状に突出する弾性係合片と、前記アームレスト本体に設けられ、前記弾性係合片を弾性変形させて挿通させ前記係合爪部をその孔縁に係り受ける被係合部を備えたカバー取付孔と、を備え、前記カバー取付孔の孔縁又は前記弾性係合片には、前記弾性係合片のカバー取付孔への挿通を許容する一方、その挿通方向以外の方向から前記弾性係合片が前記カバー取付孔から抜け出るのを規制する規制突部が突設されていることに特徴を有する。
【０００８】
このような構成によれば、アームレストカバーがアームレスト本体から取り外されるのを規制し、被係合部に対して係合した状態に保持する保持力を高めることができる。
【０００９】
詳しく説明すると、アームレストカバーをアームレスト本体に取り付けるには、弾性係合片を弾性変形させて当該弾性係合片に設けられた係合爪部と共にカバー取付孔に挿通させ、係合爪部をカバー取付孔の孔縁に設けられた被係合部に係合させればよい。よって、このように取り付けられたアームレストカバーをアームレスト本体の直上に向かって取り外そうとした場合には、当然のことながら、係合爪部が被係合部に引っ掛かり、係合爪部の被係合部への係合が解除されることが規制される。
【００１０】
一方、プルハンドルに掛けた乗員の手が、その周縁に位置するアームレストカバーを把持すると、アームレストカバーの周縁部のいずれかを支点として、手を掛ける方向にアームレストカバーを回動しようとする外力が作用する。即ち、アームレストカバーをアームレスト本体の直上方向以外の方向に向かって取り外そうとする外力が加わる場合がある。この場合には、カバー取付孔の孔縁又は前記弾性係合片に規制突部が突設されているから、当該規制突部により弾性係合片が撓み変形すること自体が規制され、もしくは撓み変形して係合爪部の被係合部への係合が解除されたとしても、その状態の弾性係合片がカバー取付孔から抜け出ることが規制される。以上のようにして、アームレストカバーの弾性係合片は、アームレスト本体の被係合部に対して係合した状態に保持されるから、その保持力を高めることができる。
【００１１】
前記規制突部は、前記弾性係合片を挟んで前記被係合部に対向するカバー取付孔の孔縁から、前記弾性係合片に向かって突設されていることが望ましい。このような構成によれば、カバー取付孔の孔縁に突設された規制突部は、弾性係合片に対して、係合爪部が突設された側とは反対側に押し当てられることとなる。よって、簡易な構成で効果的に係合爪部の被係合部への係合が解除されるのを規制し、アームレスト本体に対してアームレストカバーを係合した状態に保持する保持力を高めることができる。
【００１２】
前記規制突部の突出端から対向する被係合部までの距離は、撓み方向における前記弾性係合片の前記係合爪部の厚さと略一致することが望ましい。このような構成とすれば、カバー取付孔には弾性係合片が最低限挿通可能な幅寸法が確保されているから、弾性係合片のカバー取付孔への挿通が許容される。一方、弾性係合片がカバー取付孔に係合した後に、弾性係合片が撓み変形し、係合爪部の被係合部に対する係合が解除されたとしても、カバー取付孔に撓み変形した状態の弾性係合片が抜け出ることが可能な幅寸法は確保されていないから、弾性係合片はカバー取付孔から抜け出ることができない。規制突部と弾性係合片との位置関係をこうしたものとすることで、より効果的に被係合部に対して係合爪部を係合した状態に保持する保持力を高めることが可能となる。
【００１３】
前記係合爪部は、それぞれ近接する前記アームレストカバーの周縁に向かって突設されていることが望ましい。このような構成によれば、プルハンドルに掛けた乗員の手がアームレストカバーを把持することにより加わる外力に、より効果的に抗することができる。即ち、乗員の把持によりアームレストカバーに加わる外力は、アームレストカバーの周縁部のいずれかを支点として回動する方向に作用することが想定される。よって、係合爪部の突出方向がアームレストカバーの内側（中心部）に向かう方向とされるよりも、外側となるアームレストカバーの周縁に向かう方向とされている方が、上記回動方向に抗して係合爪部を被係合部に係合させた状態に保持する保持力を高めることが可能となる。
【００１４】
前記規制突部は、少なくとも前記プルハンドルの開口縁部側に位置する前記カバー取付孔の孔縁又は前記弾性係合片に設けられていることが望ましい。本願発明では、特に、プルハンドルに掛けた乗員の手がアームレストカバーを把持することにより当該アームレストカバーに外力が加わり、その外力によってアームレストカバーがアームレスト本体から取り外されるのを阻止することを目的としている。よって、アームレストカバーをアームレスト本体から取り外そうとする外力が最も作用するプルハンドルの開口縁部側に規制突部を設ければ、より効果的に被係合部に対して係合爪部を係合した状態に保持する保持力を高めることができる。
【発明の効果】
【００１５】
本発明によれば、被係合部に対して係合した状態に保持する保持力を高めたアームレストカバーを備えるドアトリムを提供することができる。
【図面の簡単な説明】
【００１６】
【図１】本発明の一実施形態に係るドアトリムを模式的に示した斜視図
【図２】アームレストカバーの裏面図
【図３】同斜視図
【図４】弾性係合片の拡大斜視図
【図５】アームレストカバーを取り付ける前のドアトリムの斜視図
【図６】カバー取付孔の拡大平面図
【図７】アームレストカバーを取り付けた後のプルハンドル周りのアームレストの平面図
【図８】Ａ−Ａ断面におけるドアトリムの断面図
【図９】アームレストカバーをアームレスト本体から取り外そうとする外力が加わった状態を示した要部拡大断面図
【図１０】他の実施形態に係るカバー取付孔の拡大平面図
【図１１】従来例に係るアームレストの断面図
【図１２】従来例に係るアームレストにおいてアームレストカバーの上面部に対する係合が解除された状態を示した部分拡大断面図
【発明を実施するための形態】
【００１７】
＜実施形態＞
本発明の一実施形態を図１ないし図９によって説明する。
本実施形態のドアトリム１０は、図示しないドアインナパネルの車室内側に取り付けられて車両ドアを構成する車両用内装材であって、図１に示すように板状のドアトリム本体１１と、ドアトリム本体１１に取り付けられるオーナメント１２、ドアトリム本体１１から車室内側に張り出すアームレスト２０等から構成されている。以下、図１のＸ軸方向を車両前後方向、Ｙ軸方向を車幅方向（車室内外方向）、Ｚ軸方向を上下方向として説明する。
【００１８】
ドアトリム１０は、全体として合成樹脂材料、又は合成樹脂材料に天然繊維（ケナフ等）を混合した材料等により成形されている。ドアトリム本体１１には、その車室内側を表皮材で覆ったオーナメント１２が装着されており、表皮材の材質としては（合成）樹脂、（合成）皮革、繊維等から適宜選択可能とされている。ドアトリム本体１１には、この他、スピーカグリル１３やドアポケット１４等が設けられている。
【００１９】
ドアトリム本体１１に取り付けられたオーナメント１２の下方には、アームレスト２０が設けられている。アームレスト２０は、全体として合成樹脂材料等からなり、ドアトリム本体１１から車室内側に張り出すアームレスト本体２２と、アームレスト本体２２のうち、プルハンドル２１が設けられた周辺上部を被覆するアームレストカバー３０とを備えている。アームレストカバー３０の上面は図示しない表皮材により覆った状態で乗員の肘掛けとして利用される肘掛け面３１Ａとされている。この表皮材は、オーナメント１２を覆う表皮材と同様、（合成）樹脂、（合成）皮革、繊維等から適宜選択可能とされている。そして、アームレストカバー３０の肘掛け面３１Ａには、車両前後方向（Ｘ軸方向）に沿って開口するプルハンドル用開口部２１Ａが設けられており、アームレスト本体２２には、このプルハンドル用開口部２１Ａに対応するプルハンドル用凹部２１Ｂが凹設されている。プルハンドル２１は、図１又は図７に示すように、ドアトリム本体１１とアームレスト２０との間に位置しており、その上面を開放し、下面を底面とする有底状に形成されている。このプルハンドル２１は、車両ドアを開閉するためや乗員の車両シートに対する着座状態を調整するための手掛けとして、あるいは小物入れとして利用することができる。
【００２０】
続いて、アームレスト２０を構成するアームレストカバー３０とアームレスト本体２２について説明する。アームレストカバー３０は、図２及び図３に示すように、その表面（上面）が意匠面である肘置き面３１Ａを構成する平板状の本体部３１と、本体部３１の周縁から下方に向かって立ち上がる立壁部３２を備え、本体部３１の裏面（下面）からは複数のクリップ３３と弾性係合片３４が突設されている。クリップ３３はその軸中心に向かって弾性変形可能な係止部３３Ａを備え、縮径変形して相手側となるアームレスト本体２２に設けられたクリップ取付孔２４に挿通させ、弾性復帰させることで係止部３３Ａがクリップ取付孔２４の内周縁部に係合することで、取り付けられる。
【００２１】
弾性係合片３４は、図３及び図４に示すように、本体部３１から突設される平板状をなしその板面が立壁部３２に対向する平板部３４Ａと、平板部３４Ａの先端（突出端）から本体部３１の周縁側（立壁部３２側）に向かって突出する鈎状の係合爪部３４Ｂと、平板部３４Ａの幅方向両端部をその背面側（係合爪部３４Ｂが突設された面とは反対側）から支持する一対のリブ３４Ｃとから構成される。平板部３４Ａはその板面に直交する方向（図４の矢印方向）に撓み変形可能とされ、詳しくは後述するが、弾性係合片３４を相手側となるアームレスト本体２２に設けられたカバー取付孔２５に挿入すると、この平板部３４Ａが撓み変形して挿通されるとともに、弾性復帰することで係合爪部３４Ｂがカバー取付孔２５の孔縁に設けられた被係合部２６に係合する。
【００２２】
リブ３４Ｃはそれぞれ本体部３１の裏面から立ち上がり、平板部３４Ａの係合爪部３４Ｂが突設された面とは反対側となる背面側における幅方向両端縁部に沿って延設されており、平板部３４Ａの先端縁に向かって先細となる略三角形状の板面を呈する。そして、この一対のリブ３４Ｃは互いに平行をなすとともに、その板面は平板部３４Ａの板面に対して略直交する位置関係とされている。このような一対のリブ３４Ｃを設けることにより、弾性係合片３４の特に本体部３１の強度を向上させることができる。
【００２３】
さて、アームレスト本体２２には、図５に示すように、車両前後方向に延びるプルハンドル用凹部２１Ｂが設けられ、アームレストカバー３０を取り付けることで、プルハンドル２１及びその周囲を覆って肘置き面３１Ａを構成するための基台となる上面部２３が設けられている。上面部２３において、クリップ３３に対応する位置にはクリップ取付孔２４が開口形成されており、弾性係合片３４に対応する位置にはカバー取付孔２５Ａ，２５Ｂが開口形成されている。カバー取付孔２５Ａ，２５Ｂのうち、アームレストカバー３０の周縁側（詳しくは本体部３１の周縁側）に対応する側の孔縁は被係合部２６とされている。この被係合部２６は、対応する弾性係合片３４を撓み変形させて当該カバー取付孔２５に挿通させたのち、弾性復帰させることで係合爪部３４Ｂを当該被係合部２６に係り受けることが可能なものとされている。このようなカバー取付孔２５Ａ，２５Ｂのうち、図５に示すプルハンドル２１のプルハンドル用凹部２１Ｂ縁部の車室内側に位置する２つの第１カバー取付孔２５Ａにおいては、被係合部２６に対向する孔縁から当該被係合部２６に向かって突出する規制突部２７が設けられている。なお、本実施形態では、上記第１カバー取付孔２５Ａ以外の、プルハンドル用凹部２１Ｂ縁部側の車室内側以外の部位に配置された第２カバー取付孔２５Ｂには規制突部２７が突設されていないものとする。
【００２４】
規制突部２７は、図６に示すように、挿入される弾性係合片３４に対してその一対のリブ３４Ｃに挟まれる位置に突設されている。規制突部２７の突出端から対向する被係合部２６までの距離ａは、図４，図６及び図８に示すように、弾性係合片３４の係合爪部３４Ｂの厚さ（突出高さ）と平板部３４Ａの厚さとを足し合わせた厚さ寸法ｂ、つまり平板部３４Ａを係合爪部３４Ｂの一部とした場合、弾性係合片３４の撓み方向における係合爪部３４Ｂの厚さと略一致する。
【００２５】
本実施形態は以上のような構成であって、続いて作用及び効果について説明する。
アームレスト本体２２にアームレストカバー３０を取り付けるには、アームレストカバー３０に突設されたクリップ３３及び弾性係合片３４を、それぞれ対応するアームレスト本体２２に設けられたクリップ取付孔２４及びカバー取付孔２５Ａ，２５Ｂに挿入する。クリップ３３は、クリップ取付孔２４に押し込まれると、クリップ取付孔２４の内周縁に押されて係止部３３Ａが軸中心に向かって縮径変形しつつ、クリップ取付孔２４内へと挿入されていく。そして、挿通後の係止部３３Ａが弾性復帰しつつクリップ取付孔２４の内周縁部に引っ掛かることで、クリップ３３はクリップ取付孔２４に係止される。
【００２６】
一方、弾性係合片３４を、カバー取付孔２５Ａ，２５Ｂに差し入れて押し込むと、平板部３４Ａが被係合部２６側とは反対側に向かって撓み変形しつつ、係合爪部３４Ｂを挿通させ、弾性復帰した係合爪部３４Ｂが被係合部２６の挿入側とは反対側の縁部に係り受けられる。これによって、弾性係合片３４はカバー取付孔２５Ａ，２５Ｂに対して、引き抜き不能に係合される。このように、クリップ３３及び弾性係合片３４によってアームレストカバー３０をアームレスト本体２２に固定することにより、各部品を簡易で安価な構成とすることができる。
【００２７】
ところで、本実施形態のアームレスト２０にはプルハンドル２１が設けられており、例えば車両ドアを開閉する際や、乗員が車両シートに対する着座状態を調整する際などに利用される。このプルハンドル２１を利用する際、乗員の手はプルハンドル２１からその周縁に位置するアームレストカバー３０にわたって掛けられ、特にプルハンドル２１の車室内側に位置する部分を車幅方向（Ｙ軸方向）に向かって把持することが想定される。このような場合においては、アームレストカバー３０の車室内側の端部３２Ａ（車室内側の立壁部３２の突出端縁に相当する）を支点とし、把持する方向である図９の矢印の方向にアームレストカバー３０を回動しようとする外力が作用する。
【００２８】
このような外力が加わっても、図９に示すように、撓み変形しようとする弾性係合片３４の平板部３４Ａの背面に規制突部２７が突き当たり、それ以上の弾性係合片３４の撓み変形が阻止される。これにより、撓み変形することで被係合部２６から外れようとしていた係合爪部３４Ｂの係合は保持されるから、アームレストカバー３０がアームレスト本体２２から取り外されるのを阻止することができる。
【００２９】
以上説明したように、本実施形態によれば、乗員がプルハンドル２１を利用する場合に、アームレストカバー３０がアームレスト本体２２から取り外されるのを規制し、被係合部２６に対して係合爪部３４Ｂを係合した状態に保持する保持力を高めることができる。
【００３０】
詳しく説明すると、アームレストカバー３０をアームレスト本体２２に取り付けるには、弾性係合片３４を弾性変形させて当該弾性係合片３４に突設された係合爪部３４Ｂと共にカバー取付孔２５Ａ，２５Ｂに挿通させたのち、弾性復帰させることで、係合爪部３４Ｂを被係合部２６に係合させればよい。よって、このように取り付けられたアームレストカバー３０をアームレスト本体２２の上面部２３からその直上に向かって取り外そうとした場合には、当然のことながら、係合爪部３４Ｂが被係合部２６に引っ掛かり、係合爪部３４Ｂの被係合部２６への係合が解除されることが規制される。
【００３１】
一方、プルハンドル２１に掛けた乗員の手が、その周縁に位置するアームレストカバー３０を把持すると、例えばアームレストカバー３０の車室内側の端部３２Ａを支点として、手を掛ける方向にアームレストカバー３０を回動しようとする外力が作用する。即ち、アームレストカバー３０をアームレスト本体２２の直上方向以外の方向に向かって取り外そうとする外力が加わる場合がある。この場合には、プルハンドル２１のプルハンドル用凹部２１Ｂ縁部の車室内側に位置する第１カバー取付孔２５Ａの孔縁に規制突部２７が突設されているから、当該規制突部２７により弾性係合片３４が撓み変形すること自体が規制され、もしくは撓み変形して係合爪部３４Ｂの被係合部２６への係合が解除されたとしても、その状態の弾性係合片３４が第１カバー取付孔２５Ａから抜け出ることが規制される。以上のようにして、アームレストカバー３０の弾性係合片３４は、アームレスト本体２２の被係合部２６に対して係合した状態に保持されるから、その保持力を高めることができる。
【００３２】
また、規制突部２７は、挿入された弾性係合片３４を挟んで、被係合部２６に対向する孔縁から突設されているから、弾性係合片３４のうち、平板部３４Ａの係合爪部３４Ｂが突設された側とは反対側の背面に押し当てられることとなる。よって、簡易な構成で効果的に係合爪部３４Ｂの被係合部２６への係合が解除されるのを規制することができる。
【００３３】
また、規制突部２７の突出端から対向する被係合部２６までの距離ａは、弾性係合片３４の係合爪部３４Ｂの厚さ（突出高さ）と平板部３４Ａの厚さとを足し合わせた厚さ寸法ｂと略一致する寸法設定とされている（図４，図６及び図８参照）。よって、第１カバー取付孔２５Ａには弾性係合片３４が最低限挿通可能な幅寸法ａが確保されていることとなるから、弾性係合片３４の第１カバー取付孔２５Ａへの挿通は許容される。一方、弾性係合片３４が第１カバー取付孔２５Ａに係合した後に、弾性係合片３４が撓み変形し、係合爪部３４Ｂの被係合部２６に対する係合が解除されたとしても、第１カバー取付孔２５Ａに撓み変形した状態の弾性係合片３４が抜け出ることが可能な幅寸法は確保されていないから、弾性係合片３４は第１カバー取付孔２５Ａから抜け出ることができない。規制突部２７と弾性係合片３４との位置関係をこのようなものとすることで、より効果的に被係合部２６に対して係合爪部３４Ｂを係合した状態に保持する保持力を高めることが可能となる。
【００３４】
また、係合爪部３４Ｂは、それぞれ近接するアームレストカバー３０の周縁に向かって突設されているから、プルハンドル２１に掛けた乗員の手がアームレストカバー３０を把持することにより加わる外力に、より効果的に抗することができる。即ち、乗員の把持によりアームレストカバー３０に加わる外力は、アームレストカバー３０の周縁部（立壁部３２の突出端部）のいずれかを支点として回動する方向に作用することが想定される。よって、係合爪部３４Ｂの突出方向がアームレストカバー３０の内側（中心部）に向かう方向とされるよりも、外側となるアームレストカバー３０の周縁に向かう方向とされている方が、上記回動方向に抗して係合爪部３４Ｂを被係合部２６に係合させた状態に保持する保持力を高めることができる。
【００３５】
また、規制突部２７はすべてのカバー取付孔２５Ａ，２５Ｂに設けられているのではなく、少なくともプルハンドル２１のプルハンドル用開口部２１Ａ縁部の車室内側に位置する第１カバー取付孔２５Ａのみに設けることで効果的にその機能を発揮することができる。即ち、本実施形態では、特に、プルハンドル２１に掛けた乗員の手がアームレストカバー３０を把持することにより当該アームレストカバー３０に外力が加わり、その外力によってアームレストカバー３０がアームレスト本体２２から取り外されるのを阻止することを目的としている。よって、アームレストカバー３０をアームレスト本体２２から取り外そうとする外力が最も作用するプルハンドル２１のプルハンドル用開口部２１Ａ縁部側に規制突部２７を設ければ、より効果的に被係合部２６に対して係合爪部３４Ｂを係合した状態に保持する保持力を高めることができる。
【００３６】
＜他の実施形態＞
本発明は上記記述及び図面によって説明した実施形態に限定されるものではなく、例えば次のような実施形態も本発明の技術的範囲に含まれる。
【００３７】
（１）上記した実施形態では、平板部３４Ａの幅方向両端縁部に沿ってリブ３４Ｃが延設されていたが、これに限られず、例えば図１０に示すように、弾性係合片４０において、平板部４１の幅方向略中央部からその基端であるアームレストカバーの本体部に跨ってリブ４２が突設されていてもよい。この場合、対応するカバー取付孔４５において、係合爪部４３が係合する被係合部４６に対向する孔縁には、リブ４２を挟み込むような位置関係となる一対の規制突部２７が突設されていることが望ましい。このような構成とすれば、上記した一実施形態と同様に係合爪部４３の被係合部４６に対する係合を効果的に保持することが可能となる。このように、規制突部は相手側の弾性係合片の形状に合わせて設けることが可能である。
【００３８】
（２）上記した実施形態では、規制突部２７は第１カバー取付孔２５Ａの、被係合部２６に対向する孔縁に突設されていたが、これに限られず、それ以外の、例えば被係合部２６に隣り合う孔縁から突設されていてもよい。また、カバー取付孔２５Ａ，２５Ｂの孔縁に限らず、弾性係合片の平板部やリブから規制突部が突設されていてもよい。更に、カバー取付孔の孔縁と弾性係合片の両方から規制突部が突設されていてもよい。
【００３９】
（３）上記した実施形態では、規制突部２７はプルハンドル２１のプルハンドル用開口部２１Ａ縁部側に位置する第１カバー取付孔２５Ａに設けられていたが、これに限られず、第２カバー取付孔に設けられていてもよいし、カバー取付孔のすべて又は一部に設けられていてもよい。アームレストカバーを取り外そうとする外力が特に加わる部分に規制突部を設ければ、効果的に係合爪部の被係合部への係合が解除されるのを規制し、アームレスト本体に対してアームレストカバーを係合した状態に保持する保持力を高めることができる。
【符号の説明】
【００４０】
１０…ドアトリム、１１…ドアトリム本体、１２…オーナメント、２０…アームレスト、２１…プルハンドル、２１Ａ…プルハンドル用開口部、２１Ｂ…プルハンドル用凹部、２２…アームレスト本体、２３…上面部、２４…クリップ取付孔、２５Ａ…第１カバー取付孔、２５Ｂ…第２カバー取付孔、２６…被係合部、２７…規制突部、３０…アームレストカバー、３１…本体部、３２…立壁部、３３…クリップ、３４…弾性係合片、３４Ａ…平板部、３４Ｂ…係合爪部、３４Ｃ…リブ 
【図１】
0005760737.tif 000002
【図２】
0005760737.tif 000003
【図３】
0005760737.tif 000004
【図４】
0005760737.tif 000005
【図５】
0005760737.tif 000006
【図６】
0005760737.tif 000007
【図７】
0005760737.tif 000008
【図８】
0005760737.tif 000009
【図９】
0005760737.tif 000010
【図１０】
0005760737.tif 000011
【図１１】
0005760737.tif 000012
【図１２】
0005760737.tif 000013